(57)【要約】【課題】部品点数を削減しながらも、外的要因によるセンサー性能の低下や損傷等の発生を防ぎ、取付け時の位置精度を高め、クリアランスの減少からセンサー性能を向上ししかも小型化，軽量化を図る。【解決手段】磁場を発する磁石片２ｂと、磁場と反応乃至は不反応のシート位置信号を発する磁気検出センサー２ａとをポジションセンサー２として備え、磁気検出センサー２ａをアッパーレール１ａの長手方向における所定位置の天部面１００に取り付けると共に、磁石片２ｂをロアレール１ｂの長手方向に亘る前側領域または後側領域の底部面に取り付け、更に、磁石片２ｂと摺接するブラシ３をアッパーレール１ａの内部に取り付ける。【選択図】  図２
2004210170.tif 000002
【特許請求の範囲】
【請求項１】
シートクッションの下部側に取り付けられるアッパーレールと、車体フロアに取り付けられるロアレールとをスライドレールとして備え、シートを車内の前後方向にスライドレールで位置移動可能に設置し、そのシートの位置を検出し、当該シートの位置信号を発するポジションセンサーを備える自動車用スライドシートにおいて、
磁場を発する磁石片と、磁場と反応乃至は不反応のシート位置信号を発する磁気検出センサーとをポジションセンサーとして備え、磁気検出センサーをアッパーレールの長手方向における所定位置の天部面に取り付けると共に、磁石片をロアレールの長手方向に亘る前側領域または後側領域の底部面に取り付け、更に、磁石片と摺接するブラシをアッパーレールの内部に取り付けたことを特徴とするポジションセンサー付き自動車用スライドシート。
【発明の詳細な説明】
【０００１】
【発明の属する技術分野】
本発明は、車内の前後方向にスライドレールで位置移動可能に設置する自動車用スライドシートに係り、シートの位置を検出し、当該シートの位置信号を発するポジションセンサーを備える自動車用スライドシートに関するものである。
【０００２】
【従来の技術】
例えば、エアバッグモジュールを乗員拘束装置としてステアリングホイールに装備する場合、図３で示すようにスライドシートＳの位置がステアリングホイールＨに対して前方にあるときはエアバッグＥの展開開始時期を早くし、一方、後方にあるときはエアバッグＥの展開開始時期を遅らせる如くエアバッグモジュールの作動をコントロールすることが図られている。
【０００３】
従来、そのエアバッグモジュールをコントロールする必要から、エアバッグモジュールに対するスライドシートＳの相対位置を検出するポジションセンサーＰをスライドレールＲに装備することが提案されている。
【０００４】
そのポジションセンサーＰとしては、図４並びに図５で示すように磁石片や電磁石等の磁気アクチュエータ１０ａと、磁場と反応するリミットスイッチやホール素子等の磁気検出センサー１０ｂを相対させてホルダーケース１０ｃの内部に組み付けたセンサーユニット１０と、磁気アクチュエータ１０ｂから発する磁場が磁気検出センサー１０ｂに作用するのを遮る磁気遮断板１１とでなるものが備え付けられている。
【０００５】
そのセンサーユニット１０は、ロアレール１２の長手方向における所定位置の側部に突出するブラケットプレート１３で取り付けられている。一方、磁気遮断板１１はアッパーレール１４の所定位置より長手方向に亘る前側領域の側部に張り出させて取り付けられている（参考文献１）。
【０００６】
それとは逆に、磁気センサーをアッパーレールの側部に突出させて取り付け、磁気遮断板をロアレールの長手方向に亘る所定領域の側部に張り出させて取り付けるものも提案されている（特許文献２）。
【０００７】
そのポジションセンサーは、シートの位置移動に伴って、磁気遮断板１１が磁気アクチュエータ１０ａと磁気検出素子１０ｂとの相対間隔に位置するか否かにより、磁気検出素子１０ｂがエアバッグモジュールに対するスライドシートＳの相対位置を検出すると共に、エアバッグモジュールの作動を制御するコントロール信号を発するよう回路設計されている。
【０００８】
【特許文献１】
米国特許第６，０５３，５２９号明細書
【特許文献２】
米国特許第５，９６７，５４９号明細書
【０００９】
そのポジションセンサーは、いずれも、スライドレールの側部で外側に取り付けられている。このため、シートクッションと車体フロアとの間に入れ込まれる金属製品等の物品や塵埃の付着等による影響を受け易く、誤作動を生ずる虞れがある。また、傘や長尺ものの入れ込みによる変形や損傷等の不具合を生ずる虞れもある。
【００１０】
その不具合を解消するには、ポジションセンサーをガードするカバーやワイヤ枠等をスライドレールの側部に取り付ければよい。然し、これでは部品点数が多くなり、また、スライドレールの周辺空間を制約することにもなるから好ましくない。
【００１１】
【発明が解決しようとする課題】
本発明は、部品点数を削減しながらも、外的要因によるセンサーの性能低下や損傷等の発生を防ぎ、取付け時の位置精度を高め、クリアランスの減少からセンサー性能を向上ししかも小型化，軽量化を図れるポジションセンサー付き自動車用スライドシートを提供することを目的とする。
【００１２】
【課題を解決するための手段】
本発明に係るポジションセンサー付き自動車用スライドシートにおいては、磁場を発する磁石片と、磁場と反応乃至は不反応のシート位置信号を発する磁気検出センサーとをポジションセンサーとして備え、磁気検出センサーをアッパーレールの長手方向における所定位置の天部面に取り付けると共に、磁石片をロアレールの長手方向に亘る前側領域または後側領域の底部面に取り付け、更に、磁石片と摺接するブラシをアッパーレールの内部に取り付けることにより構成されている。
【００１３】
【発明の実施の形態】
以下、図１並びに図２を参照して説明すると、図示実施の形態は、車内の前後方向にスライドレール１で位置移動可能に設置されるスライドシートでなり、そのスライドシートの位置を検出し、図３で示すような乗員拘束装置に対するシートの相対位置に基づいて乗員拘束装置の作動を制御するコントロール信号を発するポジションセンサー２をスライドレール１の内部に備えて構成されている。
【００１４】
スライドレール１は、図１で示すようにシートクッションの下部側に取り付けられるアッパーレール１ａと、車体フロア側に取り付けられるロアレール１ｂとから組み立てられている。ロアレール１ｂは、シートの移動距離に亘る車内の前後方向に設置される。アッパーレール１ａは、ローラ（図示せず）を長手方向前後の下部側に備えてロアレール１ｂで前後方向に移動可能に支持される。
【００１５】
アッパーレール１ａは、天部面１００と、左右の両側面１０１，１０２とから断面略下向きコの字状を呈し、各側面１０１，１０２の下端側からＬ字状に立ち上がる外曲げフランジ１０３，１０４を備えて折曲げ形成されている。このアッパーレール１ａには、後述する磁気検出センサーを取り付ける開口部１０５が天部面１００に設けられている。
【００１６】
ロアレール１ｂは、底部面１１０と、左右の両側面１１１，１１２とからアッパーレール１ａよりも相対的に大きい断面略上向きコの字状を呈し、アッパーレール１ａの外曲げフランジ１０３，１０４を内側に受け入れる下向きＬ字状の内曲げフランジ１１３，１１４を各側面１１１，１１２の上端側から折り曲げて形成されている。
【００１７】
ポジションセンサー２は、磁場と反応乃至は不反応をコントロール信号として発する磁気検出センサー２ａと、略四辺形の磁石片２ｂとを備えて構成されている。その磁気検出センサー２ａ，磁石片２ｂに加えて、磁石片２ｂと摺接可能なブラシ３がアッパーレール１ａの内部に取り付けられている。
【００１８】
磁気検出センサー２ａは、張出し鍔２０を介してセンサー収容部２１を下向きに、信号ケーブルと接続するコネクタ部２２を上向きに備えて構成されている。この磁気検出センサー２ａとしては、磁界の強さをホール効果による電気信号で取り出すホール素子乃至はホールＩＣをセンサー収容部２１に内蔵したものを備えるとよい。
【００１９】
磁気検出センサー２ａは、センサー収容部２１をアッパーレール１ａの受け穴１０５に嵌め合わせて内部に位置し、受け穴１０５を外形形状の大きい張出し鍔２０で覆ってアッパーレール１ａの外側から上部面１００に取付け固定されている。この磁気検出センサー２ａは、アッパーレール１ａの上部内面で長手方向における略中腹に配設されている。
【００２０】
磁石片２ｂは、ロアレール１ｂの底部内面に接着固定することにより取り付けられている。この磁石片２ｂは、磁気検出センサー２ａの配置位置に対し、ロアレール１ｂの略中腹位置より長手方向に亘る後側領域で底部内面に配設されている。
【００２１】
ブラシ３としては、ブラシ毛３ａをブラシ台３ｂに植設したものが備え付けられている。このブラシ３は、磁気検出センサー２ａの配設位置よりも磁気片２ｂの配設位置寄りに位置させてアッパーレール１ａの内部に取り付けられている。
【００２２】
乗員拘束装置としては、ステアリングホイールの内部に装備されるエアバッグモジュールやインストルメントパネルの内部に装備されるエアバッグモジュールを挙げられる。その制御形態は、シートの位置が前方にあるときはエアバッグの展開開始時期を早くし、一方、後方にあるときはエアバッグの展開開始時期を遅らせる如くＣＰＵを備えて回路構成される。
【００２３】
このように構成するポジションセンサー付きのスライドシートでは、シート全体をスライドレール１でフロントモストとリアモストとに亘る領域を移動する間で、磁気検出センサー２ａが磁石片２ｂから発生する磁場に反応する領域と、磁石片２ｂが備えられていないことから、磁気検出センサー２ａが磁場と反応しない領域とに区分けられる。
【００２４】
その磁気検出センサー２ａによる磁場の反応乃至は不反応のいずれかをコントロール信号としてＣＰＵに送信することから、反応領域ではシートの位置が前方にあるとしてエアバッグの展開開始時期を早くし、一方、不反応領域ではシートが後方にあるとしてエアバッグの展開開始時期を遅らせる如くエアバッグモジュールのエアバッグを作動制御できる。
【００２５】
そのポジションセンサー２では、磁気検出センサー２ａをアッパーレール１ａの上部内面に取付け固定し、磁石片２ｂをロアレール１ｂの底部内面に取付け固定するため、取付け時の位置精度を高められる。また、スライドレール１の相対間隔の狭い内部でクリアランスを小さく保てるからセンサー性能も向上できる。
【００２６】
特に、磁気検出センサー２ａがアッパーレール１ａの内部で下向きに取り付けられていると共に、磁石片２ｂと摺接可能なブラシ３がアッパーレール１ａの内部に取り付けられているため、塵埃等が磁石片２ｂに付着することによるセンサー性能の低下も防げる。
【００２７】
それに加えて、磁石片２ｂを含めて磁気検出センサー２ａがスライドレール１の内部に備えられているため、シートクッションと車体フロアとの間に入れ込まれる金属製品等の外的要因による影響を受け難く、傘や長尺ものの入れ込みによる変形や損傷等を生ずるのも防げて正常な作動状態を維持できる。また、ポジションセンサーのガードカバーやワイヤ枠等が不要であるため、部品点数を削減できて小型化並びに軽量化を図れる。
【００２８】
上述した実施の形態では、乗員拘束装置としてステアリングホイールの内部に装備されるエアバッグモジュールやインストルメントパネルの内部に装備されるエアバッグモジュールを挙げたが、ドアやサイドボディパネルの内部に装備されるエアバッグモジュールとシートとの位置関係を決定するような場合にも適用できる。また、シートクッションを立ち姿勢のシートバックに跳ね上げて後部側シートを前部側シートの背後に位置移動するチップアップシート等のフロントもストやリアモストを検出する位置センサーとしても適用できる。
【００２９】
そのポジションセンサーによる制御形態としては、フロントモスト側を磁場不反応領域に、リアモスト側を磁場反応領域に設定したが、これを逆に設定するようにできる。
【００３０】
【発明の効果】
以上の如く、本発明に係るポジションセンサー付き自動車用スライドシートに依れば、磁場を発する磁石片と、磁場と反応乃至は不反応のシート位置信号を発する磁気検出センサーとをポジションセンサーとして備え、磁気検出センサーをアッパーレールの長手方向における所定位置の天部面に取り付けると共に、磁石片をロアレールの長手方向に亘る前側領域または後側領域の底部面に取り付け、更に、磁石片と摺接するブラシをアッパーレールの内部に取り付けるため、シートクッションと車体フロアとの間に入れ込まれる金属製品等の外的要因による影響を受け難く、傘や長尺ものの入れ込みによる変形や損傷等を防げ、また、塵埃が付着するのも防げて正常な作動状態を維持できると共に、互いの位置精度を高められしかもクリアランスを小さく保てることからセンサー性能を向上できる。
【００３１】
それと共に、ポジションセンサーのガードカバーやワイヤ枠等が不要となるため、部品点数を削減できて小型化並びに軽量化を図れる。
【図面の簡単な説明】
【図１】本発明に係る自動車用スライドシートのスライドレールと共に、ポジションセンサー並びにブラシ板を主に示す説明図である。
【図２】図１のポジションセンサー並びにブラシの配置位置を示す説明図である。
【図３】一般例に係るポジションセンサー付き自動車用スライドシートを示す説明図である。
【図４】従来例に係る自動車用スライドシートのスライドレール並びにポジションセンサーを主に示す説明図である。
【図５】図４のスライドレール並びにポジションセンサーを示す断面図である。
【符号の説明】
１                    スライドレール
１ａ                  アッパーレール
１ｂ                  ロアレール
２                    ポジションセンサー
２ａ                  磁気検出センサー
２ｂ                  磁石片
３                    ブラシ
【図１】
2004210170.tif 000003
【図２】
2004210170.tif 000004
【図３】
2004210170.tif 000005
【図４】
2004210170.tif 000006
【図５】
2004210170.tif 000007